(57)【特許請求の範囲】
【請求項１】
入出庫階の入出庫口から車両がパレット上へ進入及び退出して該車両を格納する立体駐車装置において、前記パレットの長手方向端面に観音開き式の扉を備えて前記パレット上に箱状に設けられた収納庫と、物品を収納して前記収納庫内へ出入自在な収納ケースと、を備え、開放したときの観音開き式の前記扉が前記収納庫と前記入出庫口の開口端部との間の空間を塀状に遮蔽するようになっていることを特徴とする物品収納機能を備えた立体駐車装置。
【請求項２】
前記収納ケースを前記収納庫内で固定するロック機構を備え、該ロック機構は前記扉の開閉に連動して固定とロック解除を行うようになっていることを特徴とする請求項１記載の物品収納機能を備えた立体駐車装置。
【請求項３】
前記入出庫階に扉の開閉を検出する扉検出器を備えたことを特徴とする請求項１または請求項２記載の物品収納機能を備えた立体駐車装置。
【発明の詳細な説明】
【技術分野】
【０００１】
本発明は、車両を格納する機能に加え、車両以外の物品も格納できるようにした物品収納機能を備えた立体駐車装置に関する。
【背景技術】
【０００２】
立体駐車装置は、スペースの少ない土地に多数の車両を効率よく駐車できる駐車設備として、建築物密集地等において広く利用されており、利用する土地の広狭や経済性などを考慮した種々の構造のものが提供されている。これらの立体駐車装置は、狭い敷地でも駐車スペースを確保することができることから、商業施設やビル、マンション等に付設され、企業や住人等との契約駐車場としても多く利用されている。
【０００３】
しかしながら、このような契約駐車場においては、必ずしも全ての駐車スペースが利用されているとは限らず、住人の高齢化や公共交通機関網の発達による自動車利用者の車離れ等により、空きスペースを生じている設備もある。一方、このような建築物密集地のビルやマンション等においては、居住性を重視することから室内での収納スペースが不足し、外部のトランクルーム等を賃借して利用することも行われている。
【０００４】
このようなことから従来、立体駐車装置の空きスペースを有効活用する目的で、空きスペースのパレット上に収納ボックスを搭載し、この収納ボックス内に物品を収納するようにした立体格納庫が提案され、また実施されている（例えば、特許文献１参照）。
【先行技術文献】
【特許文献】
【０００５】
【特許文献１】特許第３９０６３２８号公報
【発明の概要】
【発明が解決しようとする課題】
【０００６】
しかしながら、上記特許文献１に記載された立体格納庫においては、利用者はパレット上、すなわち機械装置の中で作業を行うことから、作業中には装置が動かないように構成したり、作業階には突起物や段差等が極力無いような構造として利用者の安全を確保する必要がある。また、年少者を伴って利用するような状況を想定した場合には、当該年少者が装置内で動き回らないような構造が望ましい。
【０００７】
本発明は、このような事情に鑑みてなされたものであって、利用者が安全に利用することのできる物品収納機能を備えた立体駐車装置を提供することを目的としている。
【課題を解決するための手段】
【０００８】
請求項１の発明は、入出庫階の入出庫口から車両がパレット上へ進入及び退出して該車両を格納する立体駐車装置において、前記パレットの長手方向端面に観音開き式の扉を備えて前記パレット上に箱状に設けられた収納庫と、物品を収納して前記収納庫内へ出入自在な収納ケースと、を備え、開放したときの観音開き式の前記扉が前記収納庫と前記入出庫口の開口端部との間の空間を塀状に遮蔽するようになっていることを特徴としている。
【０００９】
また、請求項２の発明は、請求項１に記載の物品収納機能を備えた立体駐車装置において、前記収納ケースを前記収納庫内で固定するロック機構を備え、該ロック機構は前記扉の開閉に連動して固定とロック解除を行うようになっていることを特徴としている。
【００１０】
また、請求項３の発明は、請求項１または請求項２に記載の物品収納機能を備えた立体駐車装置において、前記入出庫階に扉の開閉を検出する扉検出器を備えたことを特徴としている。
【発明の効果】
【００１１】
請求項１に記載の発明によれば、利用者は立体駐車装置の外部で作業できるので安全であるとともに、作業中には収納庫の扉が立体駐車装置内への人の進入を遮断するのでさらに安全である。
【００１２】
また、請求項２に記載の発明によれば、ロック機構により収納ケースが固定されるので、パレットの搬送中に収納ケースが収納庫内で移動して破損等することがない。
【００１３】
また、請求項３に記載の発明によれば、扉の開閉を検出して立体駐車装置の運転または停止することができるので、利用者の作業中に立体駐車装置が動作することがなく安全である。
【図面の簡単な説明】
【００１４】
【図１】立体駐車装置の正面図
【図２】立体駐車装置の側面図
【図３】入出庫階の平面図
【図４】入出庫階の正面図
【図５】物品用パレットの斜視図
【図６】ロック機構の一構成例を示した平面図
【図７】収納ケースへ物品を出し入れするときの様子を示した平面図
【発明を実施するための形態】
【００１５】
以下、本発明の具体的な実施の形態を図面を参照して説明する。図１及び図２は、立体駐車装置１０の概略を示す正面図及び側面図である。立体駐車装置１０の内部には、中央を上下に貫通する昇降路１１が形成されており、この昇降路１１を昇降可能に昇降リフト１２を設けている。昇降リフト１２は、車両１９を搭載する搬器１３の四隅にワイヤロープ１４を連結し、このワイヤロープ１４を立体駐車装置１０の上部に設けた巻き上げ装置（図示せず）により、巻き上げ又は巻き戻しすることにより搬器１３を昇降駆動するようにしたものである。
【００１６】
昇降路１１の両側方には、複数の駐車室１７が上下多段に形成されており、各駐車室１７には、それぞれ車両１９を搭載するためのパレット１８を備えている。この立体駐車装置１０においては、地上１階部分を車両１９の入出庫階１５としており、車両１９の入退出方向１６は、搬器１３の長手方向に対して直交する方向に設定されている。車両１９が格納されていない何れかの駐車室１７にある空のパレット１８は、搬器１３上へスライド（横行）させられた後、搬器１３とともに入出庫階１５に降下して停止する。
【００１７】
入出庫階１５の下方には、パレット１８を旋回して向きを変えるパレット旋回装置２０を備えており、入出庫階１５に到着したパレット１８は、このパレット旋回装置２０により９０°旋回されて、その長手方向が車両１９の入退出方向１６となるように方向転換して待機する。車両１９の入庫時には、車両１９が自走してパレット１８上へと乗り込んだ後、車両１９及びパレット１８は、パレット旋回装置２０により９０°旋回させられて搬器１３上に載置される。そしてこの後搬器１３は、元の駐車室１７の位置、すなわち、パレット１８を取り出して空になった駐車室１７まで車両１９及びパレット１８を搬送し、この後パレット１８ごと車両１９を横行させて格納する。
【００１８】
上記駐車室１７のうち、例えば駐車契約がされずに空きスペースとなっている駐車室１７ａ、１７ｂには、空きのパレット１８上に物品収納部２２を備えた物品用パレット２３が配置されており、この物品用パレット２３は、上記車両１９と同様にして入出庫階１５と駐車室１７ａ、１７ｂとの間を搬送される。図３及び図４は、物品用パレット２３が入出庫階１５に搬送されて停止した状態を示す平面図及び正面図であり、図５は物品用パレット２３の斜視図である。
【００１９】
物品用パレット２３の物品収納部２２は、車両１９を搭載するパレット１８と同一構造のパレット１８上に箱状の収納庫２４を備え、この収納庫２４の内部に収納ケース２５を格納するように構成されている。収納庫２４は、物品用パレット２３の長手方向の端面、すなわち入出庫階１５の入出庫口２１側の端面に、左右観音開き式の扉２６を備えている。図５に示すように収納ケース２５は、下端部に車輪２７を備えるとともに、入出庫口２１側の端面に取っ手２８を備え、取っ手２８を引くことにより収納ケース２５を収納庫２４から引き出すことができる。収納ケース２５は箱体であって、内部に物品を収納して保管できる。
【００２０】
前記扉２６のヒンジ部付近には、収納庫２４内に収納ケース２５を収容したときに、収納ケース２５が動かないようにするロック機構２９が設けられている。図６は、ロック機構２９の一構成例を示した平面図である。図中、（ａ）図は扉２６が閉まった状態を示し、（ｂ）図は扉２６が開いた状態を示している。
【００２１】
（ａ）図に示すように収納庫２４の側面には、平面視Ｌ字状のフック３０をピン３１で軸支して水平方向に回動可能に備えている。ピン３１にはねじりコイルばね３２を装着し、このばね力をフック３０に対してフック３０が矢印Ａ方向に回動する向きに付勢している。収納庫２４の側面には貫通孔３４が形成されており、フック３０先端部の掛合部３７がこの貫通孔３４を挿脱可能可能になっている。収納ケース２５の側面には、収納ケース２５が収納庫２４内に収容されたときに前記貫通孔３４と同位置となる位置に掛合穴３３が形成されており、フック３０の掛合部３７が掛合穴３３に掛合して収納ケース２５が固定される。
【００２２】
一方、扉２６の支点３５付近には、扉２６の前面から突出してＬ字状の突出片３６を設けている。扉２６の開放時に扉２６が回動すると（ｂ）図に示すように、突出片３６がフック３０の掛合部３７と反対側の端部に当接し、これによってフック３０が回動して掛合部３７と掛合穴３３との掛合が解除され、収納ケース２５の移動が可能になる。また、収納ケース２５を収納庫２４に収容し、扉２６を閉じるとフック３０がねじりコイルばね３２のばね力により回動して、（ａ）図の如く収納ケース２５が固定される。
【００２３】
図７は、利用者が収納ケース２５へ物品を出し入れす場合の平面図である。所定の駐車室１７ａ又は１７ｂから物品用パレット２３が入出庫階１５に移送されて停止すると、立体駐車装置１０の入出庫口２１が開放される。利用者は、収納庫２４前に移動して扉２６を開放すると、上記のようにロック機構２９が作動して収納庫２４が移動可能となる。利用者は、収納ケース２５を収納庫２４から引き出して、立体駐車装置１０の外部で物品の出し入れを行う。このとき開放した扉２６は、図に示すように収納庫２４と入出庫口２１の開口端部との間の空間を塀状に遮蔽するので、例えば利用者が年少者を同伴していても立体駐車装置１０内に入り込む心配はない。
【００２４】
立体駐車装置１０の内部には、収納庫２４の両側方に扉検出器３８を備えている。この扉検出器３８は、例えば光電センサであって、この光電センサの光軸３９が収納庫２４の前方を横切るように設定されており、扉２６が開放されたときに光軸３９が遮断され、これを検出するようにしている。そして、扉２６の開放を検出したときは、立体駐車装置１０の運転が不可となるように制御される。
【００２５】
利用者による物品の出し入れが終わると、利用者は収納ケース２５を収納庫２４へ押し込んで収容した後、扉２６を閉じて外部へ退出する。収納ケース２５は、上記したように扉２６の回動にともなってロック機構２９により固定されるとともに、扉検出器３８が扉２６が閉じられたことを検出して立体駐車装置１０の運転が可能になる。利用者が立体駐車装置１０の外部に設けられた運転操作盤を操作して立体駐車装置１０の運転を開始すると、前記した立体駐車装置１０の動作により、物品用パレット２３が所定の駐車室１７ａ又は１７ｂへと移送されて格納される。
【００２６】
以上の実施形態においては、昇降リフト１２により搬送を行ういわゆるエレベータ式駐車装置により説明を行ったが、本発明はこれに限らず垂直循環式、水平循環式、多層循環式等の各種駐車装置に適用することができる。
【符号の説明】
【００２７】
１０  立体駐車装置
１１  昇降路
１２  昇降リフト
１３  搬器
１４  ワイヤロープ
１５  入出庫階
１６  入退出方向
１７  駐車室
１７ａ  駐車室
１７ｂ  駐車室
１８  パレット
１９  車両
２０  パレット旋回装置
２１  入出庫口
２２  物品収納部
２３  物品用パレット
２４  収納庫
２５  収納ケース
２６  扉
２７  車輪
２８  取っ手
２９  ロック機構
３０  フック
３１  ピン
３２  ねじりコイルばね
３３  掛合穴
３４  貫通孔
３５  支点
３６  突出片
３７  掛合部
３８  扉検出器
３９  光軸
Ａ  矢印
【図１】
0005683918.tif 000002
【図２】
0005683918.tif 000003
【図３】
0005683918.tif 000004
【図４】
0005683918.tif 000005
【図５】
0005683918.tif 000006
【図６】
0005683918.tif 000007
【図７】
0005683918.tif 000008